(57)【要約】【課題】他の回路への負担がなく、ゲートドライバの対応のみで、ゲートドライバの全出力ＯＮ時の瞬間的な大電流の発生を防止する。【解決手段】各走査線のそれぞれに接続された、複数のグループに分けられている複数のゲート信号出力端子Ｇ１〜Ｇ２４０と、そのグループ毎に、ゲート信号出力端子Ｇ１〜Ｇ２４０に共通して接続されている複数のグループ別ＯＮ入力点３０、３１と、複数のゲート信号出力端子Ｇ１〜Ｇ２４０からの出力を全てＯＮにさせるための出力全ＯＮ信号が入力される全ＯＮ信号入力端子と、全ＯＮ信号入力端子に直接的または間接的に接続された複数のモノマルチバイブレータで構成されるＭＭネットワーク２１とを備え、ＭＭネットワーク２１に設けられた流れる信号のタイミングが互いに異なる引き出し点が、それぞれ、複数の各グループ別ＯＮ入力点３０、３１に接続されているゲートドライバ回路を用いる。【選択図】図１
2007206416.tif 000002
【特許請求の範囲】
【請求項１】
マトリックス状に配置された信号線および走査線、および前記信号線および前記走査線の交点に設けられた液晶表示素子を有し、表示させるデータに対応する電圧が前記信号線に供給されるとともに、前記各走査線にゲート信号が順に供給されていくことにより、前記ゲート信号が供給されている走査線上の前記液晶表示素子に所望の表示データが書き込まれていく液晶表示パネルを備えた液晶表示装置の、前記各走査線に前記ゲート信号を順に供給していくゲートドライバ回路であって、
前記各走査線のそれぞれに接続された、複数のグループに分けられている複数のゲート信号出力端子と、
前記グループ毎に、前記ゲート信号出力端子に共通して接続されている複数のグループ別ＯＮ入力点と、
前記複数のゲート信号出力端子から前記各走査線への出力を全てＯＮにさせるための出力全ＯＮ信号が入力される全ＯＮ信号入力端子と、
前記全ＯＮ信号入力端子に直接的または間接的に、直列的または並列的に接続された複数のモノマルチバイブレータで構成されるＭＭネットワークと、
前記ＭＭネットワークに設けられた、流れる信号のタイミングが互いに異なる箇所である、前記グループと同数の引き出し点と、
前記複数の各グループ別ＯＮ入力点と、前記複数の各引き出し点を、それぞれ結ぶ複数の中間線とを備えた、ゲートドライバ回路。
【請求項２】
前記ＭＭネットワークは、直列に接続された、第１のモノマルチバイブレータおよび第２のモノマルチバイブレータの２つのモノマルチバイブレータで構成されており、
前記第１のモノマルチバイブレータの入力点は、前記全ＯＮ信号入力端子と接続されており、
前記複数のグループは、２つのグループであり、
前記２つのグループのうちの一方のグループの前記グループ別ＯＮ入力点は、前記第１のモノマルチバイブレータの前記入力点に接続され、
前記２つのグループのうちのもう一方のグループの前記グループ別ＯＮ入力点は、前記第２のモノマルチバイブレータの出力点に接続されている、請求項１に記載のゲートドライバ回路。
【請求項３】
前記複数のゲート信号出力端子のうちの半数のゲート信号出力端子が、前記一方のグループに属しており、
前記複数のゲート信号出力端子のうちの他の半数のゲート信号出力端子が、前記もう一方のグループに属している、請求項２に記載のゲートドライバ回路。
【請求項４】
前記第１のモノマルチバイブレータに接続されるコンデンサと、
前記コンデンサとの組み合わせで前記第１のモノマルチバイブレータのディレイ時間を決定する抵抗が接続される、外部抵抗接続端子とをさらに備えた、請求項２に記載のゲートドライバ回路。
【請求項５】
マトリックス状に配置された信号線および走査線、および前記信号線および前記走査線の交点に設けられた液晶表示素子を有する液晶表示パネルと、
請求項１に記載のゲートドライバ回路を有し、前記走査線にゲート信号を供給するゲートドライバと、
前記信号線に電圧を供給するソースドライバとを備えた、液晶表示装置。
【請求項６】
マトリックス状に配置された信号線および走査線、および前記信号線および前記走査線の交点に設けられた液晶表示素子を有し、表示させるデータに対応する電圧が前記信号線に供給されるとともに、前記各走査線のそれぞれに接続されているゲートドライバの複数のゲート信号出力端子から前記各走査線にゲート信号が順に供給されていくことにより、前記ゲート信号が供給されている走査線上の前記液晶表示素子に所望の表示データが書き込まれていく液晶表示パネルを備えた液晶表示装置のゲートドライブ方法であって、
前記各走査線への出力を全てＯＮにさせるための出力全ＯＮ信号を、前記ゲートドライバに内蔵される直列的または並列的に接続された複数のモノマルチバイブレータで構成されるＭＭネットワークに入力することにより、タイミングが互いに異なる複数のグループ別ＯＮ信号を生成するグループ別ＯＮ信号生成ステップと、
複数のグループに分けられている前記各走査線の、前記各グループに、前記各グループ別ＯＮ信号をそれぞれ供給するグループ別ＯＮ信号供給ステップとを備えた、ゲートドライブ方法。
【発明の詳細な説明】
【技術分野】
【０００１】
本発明は、ゲートを順に走査して表示させるゲートドライバ回路、液晶表示装置およびゲートドライブ方法に関する。
【背景技術】
【０００２】
液晶表示装置は薄型、軽量であり、従来のブラウン管に代替するものとして、近年一層用途が拡大されてきた。例えば、デスクトップＰＣ用のモニタやＴＶ表示用途のもの以外に、携帯電話、ＰＤＡといった小型・携帯用途にも使用されている。
【０００３】
図５は、従来の一般的な液晶表示装置の構成図を示している。
【０００４】
この液晶表示装置は、液晶表示パネル１１０、ソースドライバ１１１、ゲートドライバ１１２、およびコントローラ１１３を備えている。
【０００５】
液晶表示パネル１１０は、信号線と走査線がマトリックス状に配置され、それらの交点に液晶表示素子が設けられている液晶表示パネルである。この液晶表示パネル１１０は、Ｎ本の信号線とＭ本の走査線を有しており、それらの各交点にＮ×Ｍ個の液晶表示素子ＬＣ１−１〜ＬＣＭ−Ｎが配置されている。
【０００６】
ゲートドライバ１１２は、各走査線にそれぞれ接続されているＭ個のゲート信号出力端子Ｇ１〜ＧＭを有しており、各走査線に順次にゲート信号を供給していく。
【０００７】
ソースドライバ１１１は、各信号線にそれぞれ接続されるＮ個の表示データ出力端子Ｓ１〜ＳＮを有し、表示データに対応する電圧を、１水平期間分ずつ順次に各信号線に供給していく。
【０００８】
コントローラ１１３は、タイミング制御部１２１および信号処理部１２２を備えている。
【０００９】
次に、このような従来の液晶表示装置の動作を説明する。
【００１０】
まず、液晶表示装置の電源が入れられると、各走査線上に溜まっている電荷を除去するために、コントローラ１１３のタイミング制御部１２１が出力全ＯＮ信号ＸＤＯＮをゲートドライバ１１２に入力する。ゲートドライバ１１２は、ＸＤＯＮ信号が入力されると、ゲート信号出力端子Ｇ１〜ＧＭから全走査線に一斉にゲート信号を出力する。このようにして各走査線上に溜まっている電荷を除去した後に、液晶表示装置は表示動作を開始する。
【００１１】
図６は、図５に示した従来の液晶表示装置における表示動作時の、映像信号、ソースドライバ出力、およびゲート信号のタイミングチャートの一例を示している。ここでは、この液晶表示装置は、１フィールドで１フレームを表示するものとして説明する。
【００１２】
映像信号が信号処理部１２２に入力されると、信号処理部１２２は、入力された映像信号に対して階調補正やガンマ補正処理を行なうとともに、１水平期間（１Ｈ）分のデータずつ、ソースドライバ１１１に転送していく。図６に示すＤ１〜ＤＭ、Ｄ´１〜Ｄ´Ｍは、それぞれ各１Ｈ期間の表示用データを示している。
【００１３】
そして、コントローラ１１３のタイミング制御部１２１は、表示用データを液晶表示パネル１１０に表示させるタイミングに合わせて、ソースドライバ１１１にロードパルスを入力していく。ソースドライバ１１１は、ロードパルスが入力される毎に、１Ｈ期間分の表示用データに対応する電圧を、表示データ出力端子Ｓ１〜ＳＮから各信号線に供給していく。
【００１４】
また、コントローラ１１３のタイミング制御部１２１は、表示用データを液晶表示パネル１１０に表示させるタイミングに合わせて、ゲートドライバ１１２に制御信号を入力していく。ゲートドライバ１１２は、タイミング制御部１２１からの制御信号が入力されると、図６に示すように、ゲート信号出力端子Ｇ１〜ＧＭから各走査線に順次にゲートパルスを出力していく。
【００１５】
図６の、ゲート信号出力端子Ｇ１〜ＧＭから出力されるゲートパルスの部分に記載されている符号は、それぞれ、そのゲートパルスが出力されているときにソースドライバ１１１から出力されている表示用データを示している。
【００１６】
各液晶表示素子ＬＣ１−１〜ＬＣＭ−Ｎには、ゲート信号がＯＮになっているときにソースドライバ１１１から供給されている電圧が書き込まれる。したがって、まず、ゲート信号出力端子Ｇ１に接続される１ライン目の走査線上の各液晶表示素子ＬＣ１−１〜ＬＣ１−Ｎに表示用データＤ１が書き込まれ、続いて、ゲート信号出力端子Ｇ２に接続される２ライン目の走査線上の各液晶表示素子ＬＣ２−１〜ＬＣ２−Ｎに表示用データＤ２が書き込まれていき、１フィールド期間内に、順次に、Ｍ番目の走査線上の各液晶表示素子ＬＣＭ−１〜ＬＣＭ−Ｎまで表示用データが書き込まれていく。
【００１７】
このようにして、１フィールド分ずつ液晶表示パネル１１０の全液晶表示素子ＬＣ１−１〜ＬＣＭ−Ｎのデータを書き換えていくことにより、ユーザの目に映像信号に対応する画像が映る。
【００１８】
以上に説明したように、表示動作を行っている際には、各走査線上のゲート信号は順次にＯＮされていくのに対し、電源投入の際には、各走査線上のゲート信号が一斉にＯＮにされる。
【００１９】
各走査線上のゲート信号が一斉にＯＮになると、その瞬間に大きな電流が流れるため、ＤＣ／ＤＣコンバータがシャットダウンしてしまうなどの問題が発生する。
【００２０】
この問題に対応するために、ゲートドライバの出力全ＯＮ信号として、タイミングをずらした複数の信号を用い、各ゲート信号出力端子を、その複数の信号毎に対応させた複数のグループに分けて、グループ毎にずらしたタイミングでゲート信号をＯＮさせていく方法が用いられている。
【００２１】
図７は、このゲートドライバの出力全ＯＮ信号を複数の信号に分けた液晶表示装置の、ゲートドライバ部分の構成図を示している。ここでは、一例として、ゲートドライバは、２４０個のゲート信号出力端子を備えているものとする。
【００２２】
この液晶表示装置のコントローラ１３０のタイミング制御部１２３は、ゲートドライバの出力全ＯＮ信号として、タイミングをずらしたＸＤＯＮ１信号とＸＤＯＮ２信号の２つの信号を出力する。
【００２３】
そして、ゲートドライバ１３１のゲート信号出力端子のうち、奇数番目のゲート信号出力端子Ｇ１、Ｇ３、…、Ｇ２３９は、ＸＤＯＮ１信号がアクティブになるタイミングに応じてゲート信号がＯＮにされ、偶数番目のゲート信号出力端子Ｇ２、Ｇ４、…、Ｇ２４０は、ＸＤＯＮ２信号がアクティブになるタイミングに応じてゲート信号がＯＮにされるように、それぞれ接続されている。
【００２４】
図８は、ゲートドライバ１３１に入力されるＸＤＯＮ１信号およびＸＤＯＮ２信号と、各ゲート信号出力端子Ｇ１〜Ｇ２４０のタイミングチャートを示している。
【００２５】
ＸＤＯＮ１信号およびＸＤＯＮ２信号は、Ｌｏｗレベルがアクティブの状態である。
【００２６】
ＸＤＯＮ１信号がアクティブになるタイミングに応じて、奇数番目のゲート信号出力端子Ｇ１、Ｇ３、…、Ｇ２３９から、それぞれに接続される走査線にゲートパルスが出力される。図８に示すように、これらのゲート信号出力端子Ｇ１、Ｇ３、…、Ｇ２３９にゲートパルスが出力されているタイミングには、偶数番目のゲート信号出力端子Ｇ２、Ｇ４、…、Ｇ２４０からはゲートパルスは出力されない。
【００２７】
そして、ＸＤＯＮ２信号がアクティブになるタイミングに応じて、偶数番目のゲート信号出力端子Ｇ２、Ｇ４、…、Ｇ２４０から、それぞれに接続される走査線にゲートパルスが出力される。図８に示すように、これらのゲート信号出力端子Ｇ２、Ｇ４、…、Ｇ２４０にゲートパルスが出力されているタイミングには、奇数番目のゲート信号出力端子Ｇ１、Ｇ３、…、Ｇ２３９からはゲートパルスは出力されない。
【００２８】
このようにタイミングをずらしたＸＤＯＮ１信号とＸＤＯＮ２信号を用いることにより、同じタイミングで電流が流れる走査線の数を減らし、瞬間的に大電流が流れる問題を解消している。
【００２９】
図７および図８に示した例では、ゲート信号出力端子を２つのグループに分けたので、出力全ＯＮ信号を２本としたが、ゲート信号出力端子をさらに多くのグループに分けた場合には、そのグループと同数の出力全ＯＮ信号が必要となる。
【００３０】
すなわち、コントローラ１３０からの出力全ＯＮ信号用の出力端子、およびゲートドライバ１３１の出力全ＯＮ信号用の入力端子として、グループの数と同数の端子をそれぞれ設けなければならず、また、コントローラ１３０とゲートドライバ１３１間の配線も、そのグループ数の分必要となる。
【００３１】
このように、端子数や配線数を増やさずに、瞬間的に大電流が流れる問題を対応する方法として、ゲートドライバ内にフリップフロップを内蔵させて、入力されてくる出力全ＯＮ信号のタイミングをゲートドライバ内部でずらせる方法が知られている。
【００３２】
図９は、ゲートドライバに入力される出力全ＯＮ信号をゲートドライバ内部でタイミングをずらした複数の信号に分ける液晶表示装置の、ゲートドライバ部分の構成図を示している。ここでは、一例として、ゲートドライバは、２４０個のゲート信号出力端子を備えているものとする。
【００３３】
この液晶表示装置のコントローラ１３２のタイミング制御部１２４は、ゲートドライバの出力全ＯＮ信号ＸＤＯＮと共に、ゲートドライバ１３３内部で出力全ＯＮ信号ＸＤＯＮのタイミングをずらすためのクロック信号ＣＬＫも出力する。
【００３４】
ゲートドライバ１３３のゲート信号出力端子のうち、奇数番目のゲート信号出力端子Ｇ１、Ｇ３、…、Ｇ２３９は、ＸＤＯＮ信号がアクティブになるタイミングに応じてゲート信号がＯＮにされるように、接続されている。
【００３５】
そして、ゲートドライバ１３３には、直列に接続された２つのフリップフロップＦＦ１およびＦＦ２が内蔵されており、偶数番目のゲート信号出力端子Ｇ２、Ｇ４、…、Ｇ２４０は、フリップフロップＦＦ２の出力信号のタイミングに応じて、ゲート信号がＯＮにされるように、接続されている。
【００３６】
図１０は、ゲートドライバ１３３に入力されるＸＤＯＮ信号、ＣＬＫ信号、２つのフリップフロップＦＦ１とＦＦ２の出力信号、および各ゲート信号出力端子Ｇ１〜Ｇ２４０のタイミングチャートを示している。
【００３７】
ＸＤＯＮ信号は、Ｌｏｗレベルがアクティブの状態である。
【００３８】
ＸＤＯＮ信号がアクティブになるタイミングに応じて、奇数番目のゲート信号出力端子Ｇ１、Ｇ３、…、Ｇ２３９から、それぞれに接続される走査線にゲートパルスが出力される。図１０に示すように、これらのゲート信号出力端子Ｇ１、Ｇ３、…、Ｇ２３９にゲートパルスが出力されているタイミングには、偶数番目のゲート信号出力端子Ｇ２、Ｇ４、…、Ｇ２４０からはゲートパルスは出力されない。
【００３９】
コントローラ１３２から入力されてくるＣＬＫ信号の波長は、ＸＤＯＮ信号のパルス幅に等しく、図９に示すように、ＸＤＯＮ信号がフリップフロップＦＦ１に入力され、フリップフロップＦＦ１の出力がフリップフロップＦＦ２に入力されるように接続されているので、フリップフロップＦＦ１の出力およびフリップフロップＦＦ２の出力は、ＸＤＯＮ信号と同じパルス幅でタイミングのずれた信号が出力される。
【００４０】
フリップフロップＦＦ２の出力信号がアクティブになるタイミングに応じて、偶数番目のゲート信号出力端子Ｇ２、Ｇ４、…、Ｇ２４０から、それぞれに接続される走査線にゲートパルスが出力される。図１０に示すように、これらのゲート信号出力端子Ｇ２、Ｇ４、…、Ｇ２４０にゲートパルスが出力されているタイミングには、奇数番目のゲート信号出力端子Ｇ１、Ｇ３、…、Ｇ２３９からはゲートパルスは出力されない。
【００４１】
ＸＤＯＮ信号とフリップフロップＦＦ２から出力される信号とのタイミングのずれ時間は、ゲートドライバ１３３に内蔵するフリップフロップの数や、ＣＬＫ信号の周波数を変えることにより調整できる。
【００４２】
このようにＸＤＯＮ信号からタイミングをずらしたフリップフロップＦＦ２の出力信号を用いることにより、同じタイミングに電流が流れる走査線の数を減らし、瞬間的に大電流が流れる問題を解消している。
【００４３】
図９に示すような構成としたことで、コントローラ１３２およびゲートドライバ１３３の端子数、コントローラ１３２とゲートドライバ１３３間の配線数は、ＣＬＫ信号１本分の追加だけで対応できる。
【発明の開示】
【発明が解決しようとする課題】
【００４４】
しかしながら、図９に示すようなゲートドライバにフリップフロップを内蔵させる構成では、出力全ＯＮ信号とは別にクロック信号を供給する必要があるため、コントローラの負担が大きくなるという問題があった。
【００４５】
図９に示す構成の場合、ゲートドライバ１３３内部でＸＤＯＮ信号からタイミングをずらした信号を生成させるために、コントローラ１３２から、出力全ＯＮ信号ＸＤＯＮとは別にＣＬＫ信号を供給しなければならない。
【００４６】
コントローラ１３２に、この新たなＣＬＫ信号を出力する回路を追加しなければならず、また、コントローラ１３２に、このＣＬＫ信号を出力する端子も設けなければならない。
【００４７】
本発明は、上述した従来の課題を解決するもので、他の回路への負担がなく、ゲートドライバの対応のみで、ゲートドライバの全出力ＯＮ時に瞬間的に発生する大電流を防止できる、ゲートドライバ回路、液晶表示装置およびゲートドライブ方法を提供することを目的とする。
【課題を解決するための手段】
【００４８】
上述した課題を解決するために、第１の本発明は、
マトリックス状に配置された信号線および走査線、および前記信号線および前記走査線の交点に設けられた液晶表示素子を有し、表示させるデータに対応する電圧が前記信号線に供給されるとともに、前記各走査線にゲート信号が順に供給されていくことにより、前記ゲート信号が供給されている走査線上の前記液晶表示素子に所望の表示データが書き込まれていく液晶表示パネルを備えた液晶表示装置の、前記各走査線に前記ゲート信号を順に供給していくゲートドライバ回路であって、
前記各走査線のそれぞれに接続された、複数のグループに分けられている複数のゲート信号出力端子と、
前記グループ毎に、前記ゲート信号出力端子に共通して接続されている複数のグループ別ＯＮ入力点と、
前記複数のゲート信号出力端子から前記各走査線への出力を全てＯＮにさせるための出力全ＯＮ信号が入力される全ＯＮ信号入力端子と、
前記全ＯＮ信号入力端子に直接的または間接的に、直列的または並列的に接続された複数のモノマルチバイブレータで構成されるＭＭネットワークと、
前記ＭＭネットワークに設けられた、流れる信号のタイミングが互いに異なる箇所である、前記グループと同数の引き出し点と、
前記複数の各グループ別ＯＮ入力点と、前記複数の各引き出し点を、それぞれ結ぶ複数の中間線とを備えた、ゲートドライバ回路である。
【００４９】
また、第２の本発明は、
前記ＭＭネットワークは、直列に接続された、第１のモノマルチバイブレータおよび第２のモノマルチバイブレータの２つのモノマルチバイブレータで構成されており、
前記第１のモノマルチバイブレータの入力点は、前記全ＯＮ信号入力端子と接続されており、
前記複数のグループは、２つのグループであり、
前記２つのグループのうちの一方のグループの前記グループ別ＯＮ入力点は、前記第１のモノマルチバイブレータの前記入力点に接続され、
前記２つのグループのうちのもう一方のグループの前記グループ別ＯＮ入力点は、前記第２のモノマルチバイブレータの出力点に接続されている、請求項１に記載のゲートドライバ回路である。
【００５０】
また、第３の本発明は、
前記複数のゲート信号出力端子のうちの半数のゲート信号出力端子が、前記一方のグループに属しており、
前記複数のゲート信号出力端子のうちの他の半数のゲート信号出力端子が、前記もう一方のグループに属している、請求項２に記載のゲートドライバ回路である。
【００５１】
また、第４の本発明は、
前記第１のモノマルチバイブレータに接続されるコンデンサと、
前記コンデンサとの組み合わせで前記第１のモノマルチバイブレータのディレイ時間を決定する抵抗が接続される、外部抵抗接続端子とをさらに備えた、請求項２に記載のゲートドライバ回路である。
【００５２】
また、第５の本発明は、
マトリックス状に配置された信号線および走査線、および前記信号線および前記走査線の交点に設けられた液晶表示素子を有する液晶表示パネルと、
請求項１に記載のゲートドライバ回路を有し、前記走査線にゲート信号を供給するゲートドライバと、
前記信号線に電圧を供給するソースドライバとを備えた、液晶表示装置である。
【００５３】
また、第６の本発明は、
マトリックス状に配置された信号線および走査線、および前記信号線および前記走査線の交点に設けられた液晶表示素子を有し、表示させるデータに対応する電圧が前記信号線に供給されるとともに、前記各走査線のそれぞれに接続されているゲートドライバの複数のゲート信号出力端子から前記各走査線にゲート信号が順に供給されていくことにより、前記ゲート信号が供給されている走査線上の前記液晶表示素子に所望の表示データが書き込まれていく液晶表示パネルを備えた液晶表示装置のゲートドライブ方法であって、
前記各走査線への出力を全てＯＮにさせるための出力全ＯＮ信号を、前記ゲートドライバに内蔵される直列的または並列的に接続された複数のモノマルチバイブレータで構成されるＭＭネットワークに入力することにより、タイミングが互いに異なる複数のグループ別ＯＮ信号を生成するグループ別ＯＮ信号生成ステップと、
複数のグループに分けられている前記各走査線の、前記各グループに、前記各グループ別ＯＮ信号をそれぞれ供給するグループ別ＯＮ信号供給ステップとを備えた、ゲートドライブ方法である。
【発明の効果】
【００５４】
本発明により、他の回路への負担がなく、ゲートドライバの対応のみで、ゲートドライバの全出力ＯＮ時に瞬間的に発生する大電流を防止できる、ゲートドライバ回路、液晶表示装置およびゲートドライブ方法を提供できる。
【発明を実施するための最良の形態】
【００５５】
以下、本発明の実施の形態について、図面を参照しながら説明する。
【００５６】
（実施の形態１）
図１は、本発明の実施の形態１の液晶表示装置の、ゲートドライバ部分の構成図を示している。
【００５７】
本実施の形態１の液晶表示装置の構成は、図５に示した従来の液晶表示装置の構成と同じ構成である。本実施の形態１の液晶表示装置は、ゲートドライバ１１の構成が従来の液晶表示装置のゲートドライバ１１２の構成とは異なる。ここでは、一例として、本実施の形態１のゲートドライバ１１は、２４０個のゲート信号出力端子を備えているものとして説明する。
【００５８】
コントローラ１０およびタイミング制御部２０は、図５に示した従来の液晶表示装置のコントローラ１１３およびタイミング制御部１２１と同じ構成である。
【００５９】
本実施の形態１のゲートドライバ１１は、コントローラ１０のタイミング制御部２０から出力されてくる、各走査線の出力を一斉にＯＮにするための出力全ＯＮ信号ＸＤＯＮが入力される外部入力端子ＡＬＬＯＮを備えている。
【００６０】
そして、ゲートドライバ１１の２４０個のゲート信号出力端子のうち、奇数番目のゲート信号出力端子Ｇ１、Ｇ３、…、Ｇ２３９は、コントローラ１０から入力されるＸＤＯＮ信号がアクティブになるタイミングに応じてゲート信号がＯＮにされるように、接続されている。すなわち、奇数番目のゲート信号出力端子Ｇ１、Ｇ３、…、Ｇ２３９に共通に接続された、これらの端子Ｇ１、Ｇ３、…、Ｇ２３９からの出力を同時にＯＮにさせる奇数端子ＯＮ入力点３０が、外部入力端子ＡＬＬＯＮに接続されている。
【００６１】
ゲートドライバ１１には、２つのモノマルチバイブレータＭＭ１およびＭＭ２が内蔵されており、モノマルチバイブレータＭＭ１にはＸＤＯＮ信号が入力され、モノマルチバイブレータＭＭ１の出力がモノマルチバイブレータＭＭ２に入力されるように接続されている。
【００６２】
また、モノマルチバイブレータＭＭ１のディレイ時間を決定するコンデンサＣ１と抵抗Ｒ１、および、モノマルチバイブレータＭＭ２のディレイ時間を決定するコンデンサＣ２と抵抗Ｒ２も、ゲートドライバ１１に内蔵されている。
【００６３】
これらの２つのモノマルチバイブレータＭＭ１およびＭＭ２、コンデンサＣ１およびＣ２、抵抗Ｒ１およびＲ２で、ＭＭネットワーク２１を構成している。
【００６４】
そして、偶数番目のゲート信号出力端子Ｇ２、Ｇ４、…、Ｇ２４０は、モノマルチバイブレータＭＭ２の出力信号のタイミングに応じて、ゲート信号がＯＮにされるように、接続されている。すなわち、偶数番目のゲート信号出力端子Ｇ２、Ｇ４、…、Ｇ２４０に共通に接続された、これらの端子Ｇ２、Ｇ４、…、Ｇ２４０からの出力を同時にＯＮにさせる偶数端子ＯＮ入力点３１に、モノマルチバイブレータＭＭ２からの出力信号が入力されるように接続されている。
【００６５】
なお、モノマルチバイブレータＭＭ１およびＭＭ２が、それぞれ、本発明の第１のモノマルチバイブレータおよび第２のモノマルチバイブレータの一例にあたる。また、外部入力端子ＡＬＬＯＮが、本発明の全ＯＮ信号入力端子の一例にあたる。また、奇数番目のゲート信号出力端子Ｇ１、Ｇ３、…、Ｇ２３９が、本発明の一方のグループの半数のゲート信号出力端子の一例にあたり、偶数番目のゲート信号出力端子Ｇ２、Ｇ４、…、Ｇ２４０が、本発明のもう一方のグループの他の半数のゲート信号出力端子の一例にあたる。また、奇数端子ＯＮ入力点３０および偶数端子ＯＮ入力点３１が、本発明の複数のグループ別ＯＮ入力点の一例にあたる。また、モノマルチバイブレータＭＭ１の入力部およびモノマルチバイブレータＭＭ２の出力部が、本発明の、流れる信号のタイミングが互いに異なる引き出し点の一例にあたる。
【００６６】
次に、本実施の形態１の液晶表示装置で、ゲートドライバ１１の全ゲート信号出力端子Ｇ１〜Ｇ２４０の出力をＯＮにさせる動作について説明する。なお、本実施の形態１の液晶表示装置の表示動作については、前述した従来の液晶表示装置の表示動作と同様なので、説明を省略する。
【００６７】
電源投入時等に、ゲートドライバ１１の全ゲート信号出力端子Ｇ１〜Ｇ２４０の出力をＯＮにさせる際、タイミング制御部２０は、図５に示すタイミング制御部１２１と同様に、出力全ＯＮ信号ＸＤＯＮをゲートドライバ１１の外部入力端子ＡＬＬＯＮに入力する。
【００６８】
図２は、外部入力端子ＡＬＬＯＮに入力されるＸＤＯＮ信号、２つのモノマルチバイブレータＭＭ１とＭＭ２の出力信号、および各ゲート信号出力端子Ｇ１〜Ｇ２４０の出力信号のタイミングチャートを示している。
【００６９】
ＸＤＯＮ信号は、Ｌｏｗレベルがアクティブの状態である。
【００７０】
ＸＤＯＮ信号がアクティブになるタイミングに応じて、奇数番目のゲート信号出力端子Ｇ１、Ｇ３、…、Ｇ２３９から、それぞれに接続される走査線にゲートパルスが出力される。図２に示すように、これらのゲート信号出力端子Ｇ１、Ｇ３、…、Ｇ２３９にゲートパルスが出力されているタイミングには、偶数番目のゲート信号出力端子Ｇ２、Ｇ４、…、Ｇ２４０からはゲートパルスは出力されない。
【００７１】
モノマルチバイブレータＭＭ１は、図２に示すように、入力されるＸＤＯＮ信号に対して、接続されているコンデンサＣ１の容量値と抵抗Ｒ１の抵抗値から決まるディレイ時間Ｔ１の幅を持つ信号を出力する。
【００７２】
このモノマルチバイブレータＭＭ１の出力信号が入力されたモノマルチバイブレータＭＭ２は、接続されているコンデンサＣ２の容量値と抵抗Ｒ２の抵抗値から決まるディレイ時間Ｔ２の幅を持つ信号を出力する。ここで、コンデンサＣ２の容量値と抵抗Ｒ２の抵抗値は、ディレイ時間Ｔ２がＸＤＯＮ信号のパルス幅と同じ長さになるように設定されている。
【００７３】
したがって、図２に示すように、モノマルチバイブレータＭＭ２からは、ＸＤＯＮ信号と同じパルス幅でタイミングがずれた信号が出力される。このＭＭネットワーク２１の構成によって、ＸＤＯＮ信号と異なるタイミングの信号をモノマルチバイブレータＭＭ２から出力させる処理が、本発明のグループ別ＯＮ信号生成ステップの一例にあたる。
【００７４】
そして、モノマルチバイブレータＭＭ２の出力信号がアクティブになるタイミングに応じて、偶数番目のゲート信号出力端子Ｇ２、Ｇ４、…、Ｇ２４０から、それぞれに接続される走査線にゲートパルスが出力される。図２に示すように、これらのゲート信号出力端子Ｇ２、Ｇ４、…、Ｇ２４０にゲートパルスが出力されているタイミングには、奇数番目のゲート信号出力端子Ｇ１、Ｇ３、…、Ｇ２３９からはゲートパルスは出力されない。
【００７５】
このように、ゲート信号出力端子Ｇ１、Ｇ３、…、Ｇ２３９が共通に接続される奇数端子ＯＮ入力点３０にＸＤＯＮ信号を供給し、ゲート信号出力端子Ｇ２、Ｇ４、…、Ｇ２４０が共通に接続される偶数端子ＯＮ入力点３１にＸＤＯＮ信号とは異なるタイミングのモノマルチバイブレータＭＭ２の出力信号を供給する処理が、本発明のグループ別ＯＮ信号供給ステップの一例にあたる。
【００７６】
ＸＤＯＮ信号とモノマルチバイブレータＭＭ２から出力される信号とのタイミングのずれ時間は、モノマルチバイブレータＭＭ１に接続しているコンデンサＣ１の容量値と抵抗Ｒ１の抵抗値の一方または両方を変更して、ディレイ時間Ｔ１を変化させることにより調整できる。
【００７７】
このようにＸＤＯＮ信号からタイミングをずらしたモノマルチバイブレータＭＭ２の出力信号を用いることにより、同じタイミングで電流が流れる走査線の数を減らし、瞬間的に大電流が流れる問題を解消できる。
【００７８】
本実施の形態１の液晶表示装置では、瞬間的に大電流が流れる問題を、ゲートドライバ１１のみで対応しているため、コントローラ１０等の他の回路等を変更する必要がなく、また、コントローラ１０等とゲートドライバ１１とを接続する配線等も変更する必要が無い。つまり、コントローラ１０等の他の回路に負担をかけずに、ゲートドライバ１１の対応のみで、瞬間的に大電流が流れる問題を防止できる。
【００７９】
図３（ａ）および図３（ｂ）は、本実施の形態１のゲートドライバの他の構成を示している。なお、図３（ａ）および図３（ｂ）では、各モノマルチバイブレータに接続され、それらのディレイ時間を決定するコンデンサおよび抵抗の記載は省略している。
【００８０】
図１に示した構成のゲートドライバ１１では、全ゲート信号出力端子を２つのグループに分けて、グループ毎に出力全ＯＮ信号のタイミングをずらした信号を用いるようにしたが、図３（ａ）および図３（ｂ）は、全ゲート信号出力端子を４つのグループに分け、その４つのグループ毎に出力全ＯＮ信号のタイミングをずらした信号を用いるようにした構成としている。
【００８１】
図３（ａ）は、ゲートドライバに、直列に接続された６つのモノマルチバイブレータＭＭ１〜ＭＭ６が内蔵されている。そして、ゲートドライバに設けられている複数のゲート信号出力端子が４つのグループ（グループ１〜グループ４）に分けられている。グループ１〜グループ４は、それぞれ、出力全ＯＮ信号として、ＸＤＯＮ信号、モノマルチバイブレータＭＭ２の出力であるＸＤＯＮ２信号、モノマルチバイブレータＭＭ４の出力であるＸＤＯＮ４信号、モノマルチバイブレータＭＭ６の出力であるＸＤＯＮ６信号が用いられるようになっている。これらの４つの出力全ＯＮ信号として用いられる信号は、互いにタイミングのずれた信号なので、グループ毎にゲート信号出力端子がＯＮにされるタイミングもずれる。
【００８２】
ゲート信号出力端子に流れる電流は、４回のタイミングに分かれて流れるので、図１の２グループに分けた場合よりも、さらに瞬時に流れる電流値を小さくできる。
【００８３】
図３（ｂ）は、ゲートドライバに、直列に接続された２つのモノマルチバイブレータの組み合わせが、３組並列に配置されて内蔵されている。そして、ゲートドライバに設けられている複数のゲート信号出力端子が４つのグループ（グループ１〜グループ４）に分けられている。グループ１〜グループ４は、それぞれ、出力全ＯＮ信号として、ＸＤＯＮ信号、モノマルチバイブレータＭＭ２の出力であるＸＤＯＮ２信号、モノマルチバイブレータＭＭ４の出力であるＸＤＯＮ４信号、モノマルチバイブレータＭＭ６の出力であるＸＤＯＮ６信号が用いられるようになっている。
【００８４】
ここで、モノマルチバイブレータＭＭ２、ＭＭ４、ＭＭ６のディレイ時間は、互いに同じで、ＸＤＯＮ信号のパルス幅と同じ長さになるように設定されている。そして、モノマルチバイブレータＭＭ１、ＭＭ３、ＭＭ５のディレイ時間は、この順に長くなるような異なるディレイ時間に設定されている。
【００８５】
その結果、ＸＤＯＮ信号、ＸＤＯＮ２信号、ＸＤＯＮ４信号、ＸＤＯＮ６信号は、互いに同じパルス幅で、この順番でタイミングがずれて出力されていく。これらの４つの出力全ＯＮ信号として用いられる信号は、互いにタイミングのずれた信号となるので、グループ毎にゲート信号出力端子がＯＮにされるタイミングもずれる。
【００８６】
図３（ａ）の場合と同様に、ゲート信号出力端子に流れる電流は、４回のタイミングに分かれて流れるので、図１の２グループに分けた場合よりも、さらに瞬時に流れる電流値を小さくできる。
【００８７】
なお、図３（ａ）および図３（ｂ）では、ゲート信号出力端子を４つのグループに分けることとしたが、３グループや５グループ以上など、これら以外のグループ数に分けるようにしてもよい。ゲートドライバに内蔵させるモノマルチバイブレータの個数を変更することにより、所望のグループ数に対応した、出力全ＯＮ信号として用いるタイミングのずれた複数の信号を生成できる。
【００８８】
また、図３（ａ）や図３（ｂ）の構成に限らず、これらの構成を組み合わせたような構成にしてもよい。分けたグループ毎に、出力全ＯＮ信号として用いる信号を異なるタイミングで供給できるようにすれば、各モノマルチバイブレータをゲートドライバ内にどのように構成させてもよい。
【００８９】
（実施の形態２）
図４は、本発明の実施の形態２の液晶表示装置の、ゲートドライバ部分の構成図を示している。
【００９０】
図１に示した実施の形態１のゲートドライバ１１と異なる部分について説明する。なお、図１と同じ構成部分には、同じ符号を用いている。
【００９１】
本実施の形態２のゲートドライバ１２は、実施の形態１のゲートドライバ１１に加えて外部端子ＥＸＴＲを備えている。外部端子ＥＸＴＲは、ゲートドライバ１１内部で、モノマルチバイブレータＭＭ１のディレイ時間を決める抵抗が接続される、モノマルチバイブレータＭＭ１の端子に接続されている。なお、外部端子ＥＸＴＲが、本発明の外部抵抗接続端子の一例にあたる。
【００９２】
モノマルチバイブレータＭＭ１のディレイ時間を決める抵抗をゲートドライバ１１の外部に接続する構成としたことにより、本実施の形態２のＭＭネットーワーク２２は、実施の形態１のＭＭネットワーク２１からモノマルチバイブレータＭＭ１のディレイ時間を決める抵抗Ｒ１を除いた構成となっている。
【００９３】
外部端子ＥＸＴＲに抵抗Ｒ１´を接続することにより、図２に示すモノマルチバイブレータＭＭ１のディレイ時間Ｔ１は、抵抗Ｒ１´の抵抗値とゲートドライバ１２に内蔵されているコンデンサＣ１の容量値とで決まる。したがって、外部端子ＥＸＴＲに接続する抵抗Ｒ１´の抵抗値を変えることにより、モノマルチバイブレータＭＭ１のディレイ時間Ｔ１を所望の時間に設定できる。
【００９４】
ゲートドライバ１２が組み込まれる液晶表示装置が異なると、その液晶表示装置の他の部分の回路構成などにより、瞬間的に流れる電流を分散させる際のタイミングの好ましいずらせ方が異なってくる。外部端子ＥＸＴＲを設けて、外部に接続する抵抗Ｒ１´の抵抗値によりディレイ時間Ｔ１を調整できるようにしたことにより、さまざまな構成の液晶表示装置に本実施の形態２のゲートドライバ１２を組み込むことができる。
【００９５】
なお、図４に示した本実施の形態２のゲートドライバ１２では、２つのグループに分ける場合の構成について説明したが、図３（ａ）や図３（ｂ）のような構成にしてもよいし、その他の構成であってもよい。ゲートドライバに外部端子を設け、その外部端子に接続する抵抗の抵抗値に応じて、グループ毎の出力全ＯＮ信号として用いる信号のタイミングを調整できるようにすればよい。
【００９６】
以上に説明したように、本発明のゲートドライバ回路を用いることにより、ゲートドライバ以外の回路への負担無しに、ゲートドライバの全出力ＯＮ時に瞬間的に発生する大電流の問題を回避できる。
【産業上の利用可能性】
【００９７】
本発明にかかるゲートドライバ回路、液晶表示装置およびゲートドライブ方法は、他の回路への負担がなく、ゲートドライバの対応のみで、ゲートドライバの全出力ＯＮ時に瞬間的に発生する大電流を防止できる効果を有するので、ゲートを順に走査して表示させるゲートドライバ回路、液晶表示装置およびゲートドライブ方法等に有用である。
【図面の簡単な説明】
【００９８】
【図１】本発明の実施の形態１の液晶表示装置のゲートドライバ部分の構成図
【図２】本発明の実施の形態１の、ゲートドライバに入力されるＸＤＯＮ信号、２つのモノマルチバイブレータの出力信号、および各ゲート信号出力端子の出力信号のタイミングチャートを示す図
【図３】（ａ）本発明の実施の形態１の液晶表示装置の、他の構成のゲートドライバ部分の構成図、（ｂ）本発明の実施の形態１の液晶表示装置の、他の構成のゲートドライバ部分の構成図
【図４】本発明の実施の形態２の液晶表示装置のゲートドライバ部分の構成図
【図５】従来の一般的な液晶表示装置の構成図
【図６】従来の液晶表示装置における表示動作時の、映像信号、ソースドライバ出力、およびゲート信号のタイミングチャートを示す図
【図７】従来の、ゲートドライバの出力全ＯＮ信号を複数の信号に分けた液晶表示装置の、ゲートドライバ部分の構成図
【図８】従来の、ゲートドライバの出力全ＯＮ信号を複数の信号に分けた液晶表示装置の、ゲートドライバに入力されるＸＤＯＮ１信号およびＸＤＯＮ２信号と各ゲート信号出力端子の出力信号のタイミングチャートを示す図
【図９】従来の、ゲートドライバに入力される出力全ＯＮ信号をゲートドライバ内部でタイミングをずらした複数の信号に分ける液晶表示装置の、ゲートドライバ部分の構成図
【図１０】従来の、ゲートドライバに入力される出力全ＯＮ信号をゲートドライバ内部でタイミングをずらした複数の信号に分ける液晶表示装置の、ゲートドライバに入力されるＸＤＯＮ信号、ＣＬＫ信号、２つのフリップフロップの出力信号、および各ゲート信号出力端子の出力信号のタイミングチャートを示す図
【符号の説明】
【００９９】
１０  コントローラ
１１、１２  ゲートドライバ
２０  タイミング制御部
２１、２２  ＭＭネットワーク
３０  奇数端子ＯＮ入力点
３１  偶数端子ＯＮ入力点
【図１】
2007206416.tif 000003
【図２】
2007206416.tif 000004
【図３】
2007206416.tif 000005
【図４】
2007206416.tif 000006
【図５】
2007206416.tif 000007
【図６】
2007206416.tif 000008
【図７】
2007206416.tif 000009
【図８】
2007206416.tif 000010
【図９】
2007206416.tif 000011
【図１０】
2007206416.tif 000012